(57)【要約】【課題】建物の外観意匠上の制約がなく、屋根の荷重を直接天井梁へ流せる納まりにした建物を提供することにある。【解決手段】外壁１４の上端部を天井梁１３に取着した建物本体１の上方が屋根２で覆われ、この屋根の水下側に軒樋３が設けられた建物であって、前記軒樋３は外壁１４の略直上に配置され、前記屋根２を支持する垂木２１を、軒樋３の下方にまで突出させ、天井梁１３に支持してなることを特徴とする。【選択図】  図１
2004218229.tif 000002
【特許請求の範囲】
【請求項１】
建物本体が周囲を外壁で囲い外壁上端部を天井梁に取着したものであり、建物本体の上方が水勾配を形成した屋根で覆われ、この屋根の水下側に屋根上の雨水を集めて排水する排水溝が設けられた建物であって、
前記排水溝は外壁の略直上に配置され、前記屋根を支持する屋根支持部を、排水溝の下方にまで突出させ、天井梁に支持してなることを特徴とする建物。
【請求項２】
前記屋根の仕上げ材の裏面側を覆う屋根防水シートが、前記排水溝の裏面側を通って外壁の上端面を覆う状態で延設されていることを特徴とする請求項１記載の建物。
【請求項３】
前記排水溝の屋外側面は、化粧材で覆われていることを特徴とする請求項１または２記載の建物。
【請求項４】
前記建物本体は、複数の建物ユニットを隣接配置して構築され、この建物本体の上方が前記屋根で覆われたユニット建物であることを特徴とする請求項１〜３のいずれか１項記載の建物。
【請求項５】
複数の箱形に構成された建物ユニットを隣接配置し、最上階に配置した建物ユニットの上面を水勾配が形成された屋根で覆い、この屋根の水下側に屋根上の雨水を集めて排水する排水溝を設けて構築されたユニット建物であって、
前記最上階に配置した建物ユニットの、屋外側の側面を覆う外壁は、この建物ユニットの構造体の上面より上方に突出させて設けられ、この外壁の突出部の屋内側に前記排水溝が配置されていることを特徴とするユニット建物。
【請求項６】
箱形に構成された第１の建物ユニットと、箱形に構成された第２または第３の建物ユニットとが、混在した状態で隣接配置されたユニット建物であって、
第１の建物ユニットは、屋外側の側面を覆う外壁を建物ユニットの構造体の上面より上方に突出させて設けたものとし、第２の建物ユニットは、第１の建物ユニットの構造体の下端から第１の建物ユニットの外壁上端までの高さの構造体とし、第３の建物ユニットは、第１の建物ユニットの構造体と同じ高さの構造体で外壁が上方に突出しないものとしたことを特徴とするユニット建物。
【発明の詳細な説明】
【０００１】
【発明の属する技術分野】
本発明は、建物及びユニット建物に関する。
【０００２】
【従来の技術】
従来の建物において、例えば、特許文献１に記載されているように、軒樋は、一般的に外壁面より屋外側に突出した屋根の先端に取り付けられている（外樋方式）。このような外樋方式は、軒樋が屋外側に突出するため、建物の外観意匠上の制限を受けたり、軒樋の取付け作業が足場を設けた高所での作業となる。
【０００３】
そこで、軒樋が屋外側に露出しないように、内樋方式にした建物の屋根構造が、特許文献２に記載されて知られている。この屋根構造は、建物本体の上部に設置され軒先側に内樋を有する屋根パネルと、この屋根パネルに跨がって配設され各内樋を連結する共通の集合パイプとを有して構成され、軒先側フレームと内樋を前方から化粧材で覆うようにしている。
【０００４】
【特許文献１】
特開平９−１０５１９７号公報
【特許文献２】
特開平６−０７３８５１号公報
【０００５】
【発明が解決しようとする課題】
しかしながら、特許文献１に記載のような外樋方式の場合、軒樋が屋外側に突出して建物の外観意匠上の制約を受けるという問題があり、特許文献２に記載のような内樋方式の場合、建物の外観意匠上の制約はないが、屋根を支持する垂木等の支持材と天井梁とが直接接しないため、補助梁やブラケット等を設置する必要があり、屋根構造の納まりが複雑になるという問題があった。
【０００６】
本発明の課題は、建物の外観意匠上の制約がなく、屋根の荷重を直接天井梁へ流せる納まりにした建物を提供することにある。
【０００７】
【課題を解決するための手段】
請求項１記載の発明は、建物本体が周囲を外壁で囲い外壁上端部を天井梁に取着したものであり、建物本体の上方が水勾配を形成した屋根で覆われ、この屋根の水下側に屋根上の雨水を集めて排水する排水溝が設けられた建物であって、
前記排水溝は外壁の略直上に配置され、前記屋根を支持する屋根支持部を、排水溝の下方にまで突出させ、天井梁に支持してなることを特徴とする。
【０００８】
請求項２記載の発明は、請求項１記載の建物において、前記屋根の仕上げ材の裏面側を覆う屋根防水シートが、前記排水溝の裏面側を通って外壁の上端面を覆う状態で延設されていることを特徴とする。
【０００９】
請求項３記載の発明は、請求項１または２記載の建物において、前記排水溝の屋外側面は、化粧材で覆われていることを特徴とする。
【００１０】
請求項４記載の発明は、請求項１〜３のいずれか１項記載の建物において、前記建物本体は、複数の建物ユニットを隣接配置して構築され、この建物本体の上方が前記屋根で覆われたユニット建物であることを特徴とする。
【００１１】
請求項５記載の発明は、複数の箱形に構成された建物ユニットを隣接配置し、最上階に配置した建物ユニットの上面を水勾配が形成された屋根で覆い、この屋根の水下側に屋根上の雨水を集めて排水する排水溝を設けて構築されたユニット建物であって、
前記最上階に配置した建物ユニットの、屋外側の側面を覆う外壁は、この建物ユニットの構造体の上面より上方に突出させて設けられ、この外壁の突出部の屋内側に前記排水溝が配置されていることを特徴とする。
【００１２】
請求項６記載の発明は、箱形に構成された第１の建物ユニットと、箱形に構成された第２または第３の建物ユニットとが、混在した状態で隣接配置されたユニット建物であって、
第１の建物ユニットは、屋外側の側面を覆う外壁を建物ユニットの構造体の上面より上方に突出させて設けたものとし、第２の建物ユニットは、第１の建物ユニットの構造体の下端から第１の建物ユニットの外壁上端までの高さの構造体とし、第３の建物ユニットは、第１の建物ユニットの構造体と同じ高さの構造体で外壁が上方に突出しないものとしたことを特徴とする。
【００１３】
（作用）
請求項１記載の本発明によると、前記排水溝は外壁の略直上に配置されているので、軒樋等の排水溝が外壁の屋外側へ殆ど突出しなくなり、建物の外観意匠上の制約がない。そして、前記屋根を支持する屋根支持部を、排水溝の下方にまで突出させ、天井梁に支持しているので、屋根の荷重を直接天井梁へ流せる納まりにできる。
【００１４】
請求項２記載の本発明によると、さらに、前記屋根の仕上げ材の裏面側を覆う屋根防水シートが、前記排水溝の裏面側を通って外壁の上端面を覆う状態で延設されているので、建物の内外に渡って防水面を連続させることができ、防水が容易であり、防水の信頼性も高い。
【００１５】
請求項３記載の本発明によると、さらに、前記排水溝の屋外側面は、化粧材で覆われているので、化粧材の形状や材質等によってデザイン変更が容易となる。
【００１６】
請求項４記載の本発明によると、前記建物本体は、複数の建物ユニットを隣接配置して構築され、この建物本体の上方が前記屋根で覆われたユニット建物であるから、請求項１〜３の発明と同様の作用がある。
【００１７】
請求項５記載の本発明によると、外壁を建物ユニットの構造体の上面より上方に突出させ、この外壁の突出部の屋内側に前記排水溝が配置されているので、排水溝が外壁の屋外側へ突出せず、建物の外観意匠上の制約がない。また、庇と外壁が一体となり、庇部品が不要となるとともに、庇と外壁が別部品で構成されていた従来のものに比べて継ぎ部がなくなり、防水、防火性能も向上する。
この際、前記屋根を支持する屋根支持部を、排水溝の下方にまで突出させ、建物ユニットの天井梁に支持すれば、屋根の荷重を直接天井梁へ流せる納まりにできる。
【００１８】
請求項６記載の本発明によると、第１の建物ユニットと、第２または第３の建物ユニットとが、混在した状態で隣接配置され、第１の建物ユニットは、屋外側の側面を覆う外壁を建物ユニットの構造体の上面より上方に突出させて設けたので、第１と第２の建物ユニットの外壁を同じ仕様にしたり、第１と第３の建物ユニットの構造体を同じ仕様にしたりして活用でき、部品仕様の共通化を図ることができる。また、第１の建物ユニットは、外壁を上方に突出させたので、庇と外壁が一体となり、庇部品が不要となるとともに、防水・防火性能が向上する。
上に屋根ユニットが載る場合は、外壁が上に突出しない建物ユニットにし、隣に外壁が上に突出する平屋根を容易に形成できる。または、上に居室用建物ユニットが載る場合は、外壁が上に突出しない建物ユニットにし、隣に外壁が上に突出する平屋根で下屋となるものを容易に形成できる。
【００１９】
【発明の実施の形態】
（実施の形態１）
図１と図２は、本発明の実施の形態１であって、図１は建物の要部を示す断面図であり、図２は建物ユニットの斜視図である。
【００２０】
本実施の形態の建物は、複数の建物ユニット１０（図２参照）を上下、左右に隣接配置して建物本体１が構築され、この建物本体１の上方（最上階）が水勾配を形成したフラットな屋根２（陸屋根）で覆われたユニット建物である。
【００２１】。
建物ユニット１０は、図２に示すように、四隅に配置された４本の柱１１と、柱１１の下端部間に架け渡された４本の床梁１２と、柱１１の上端部間に架け渡された４本の天井梁１３とから、箱形に組まれた骨組構造体になされている。
上記柱１１は、角形鋼管で形成され、床梁１２，天井梁１３は、いずれも、断面コ字形の形鋼で形成されている。
【００２２】
建物本体１の屋外側に面する周囲、すなわち建物ユニット１０の屋外側面は、木片セメント板、金属板と石膏ボードの複合板、あるいは外にタイル貼りのＡＬＣ版等の不燃性の外壁１４で囲われており、この外壁１４の上端部は、建物ユニット１０の天井梁１３に取着されている。
また、外壁１４の屋内側には、金属製または木製スタッド１５を介して内壁面材１６が取り付けられている。
【００２３】
屋根２は、山部と谷部が交互に連続した金属製折板や両端のみ折曲した平鋼板等でフラット屋根が形成され、水勾配を形成したこの屋根２の水下側には、屋根上の雨水を集めて排水する軒樋３（排水溝）が設けられている。
【００２４】
上記軒樋３は、合成樹脂で形成され、断面コ字形の開口を上方に向け、外壁１４の屋外側面よりわずかに突出するようにして、外壁１４の略直上に配置されている。
軒樋３に流入した雨水は、軒樋３の水下側の下隅部にたて樋５を接続して排水される。
【００２５】
前記屋根２を下方から支持する木製の垂木２１（屋根支持部）は、上端を天井梁１３より上に突出させて、対向する天井梁１３に両端が支持されている。垂木２１の先端部は、先端部上面を切り欠いて、天井梁１３の高さ範囲に収まる状態にされ、これを軒樋３の下方にまで突出させ、天井面材１８を取り付けるための天井野縁１７とともに建物ユニット１０の天井梁１３の上フランジと下フランジとの間に収まるるように構成されている。
【００２６】
前記屋根２の仕上げ材の裏面側は、合成樹脂製の屋根防水シート４で覆われている。この屋根防水シート４は、前記軒樋３の裏面側を通って外壁１４の上端面を覆う状態で延設されている。屋根防水シート４は、工場で建物ユニット１０に取り付けるようにすると、施工現場の作業工数が少なくなるだけでなく、施工時の雨等に対しても都合がよくなる。
【００２７】
（実施の形態１の作用）
本実施の形態１によると、前記排水溝３は外壁１４の略直上に配置されているので、外樋方式のような外壁１４の屋外側への突出が略なくなり、建物の外観意匠上の制約がない。
また、前記屋根２を支持する垂木２１を、軒樋３の下方にまで突出させ、天井梁１３に支持しているので、屋根２の荷重を直接天井梁１３へ流せる納まりにできる。
【００２８】
本実施の形態１によると、さらに、前記屋根２の裏面側を覆う屋根防水シート４が、前記軒樋３の裏面側を通って外壁１４の上端面を覆う状態で延設されているので、建物の内外に渡って防水面を連続させることができ、防水が容易であり、信頼性も高い。
【００２９】
（実施の形態２）
図３と図４は、本発明の別の実施の形態であって、図３は軒樋を化粧材で覆った建物の要部を示す断面図であり、図４は軒樋を別の化粧材で覆った建物の要部を示す断面図である。
以下の実施の形態では、前記実施の形態と同じものには同符号を付けて説明を省略し、異なるものだけ別符号を付けて説明する。
【００３０】
本実施の形態２においては、図３に示すように、前記軒樋３の外壁外側への突出をなくし、軒樋３の屋外側面を、外壁１４と連続する同材質の化粧板６で覆うようにした。化粧板６を固定できるように配置できる位置を確保するため、外壁外面から軒樋外面までを化粧材取付空間とした。
また、図４においては、前記軒樋３の屋外側面を、外壁１４の屋外側面より突出する中空の化粧材６Ａで覆うようにした。
【００３１】
（実施の形態２の作用）
本実施の形態２によると、さらに、前記軒樋３の屋外側面が、化粧材６，または６Ａで覆われているので、これら化粧材６，６Ａの形状や材質等によってデザイン変更が容易となる。
【００３２】
（実施の形態３）
図５は、本発明の他の実施の形態であって、傾斜屋根にした建物の要部を示す断面図である。
【００３３】
本実施の形態３では、建物本体１の上方を水勾配を形成した傾斜屋根２Ａで覆うようにしたものである。
傾斜屋根２Ａは、垂木２１Ａが屋根２Ａと同勾配で傾斜し、垂木２１Ａの水下側先端が天井梁１３の上面に支持されている。垂木２１Ａの先端下方は、天井梁１３のフランジ上面に載置される平坦部を備えるとともに、天井梁１３の上フランジ先端と対向する面を備えるように、切欠き部が形成されている。
垂木２１Ａの上に野地板２３が取り付けられ、この野地板２３の上に屋根瓦２２が葺かれている。
軒樋３Ａは、傾斜した底面と、底面の屋外側に立設された高さの高い側壁面と、底面の屋内側に立設された高さの低い側壁面とからなる。軒樋３Ａは、傾斜した垂木２１Ａの水下側先端部の野地板２３上に前記底面を当接して載置され、天井梁１３の略直上に位置している。
軒樋３Ａは、最下端に葺かれている屋根瓦２２の裏側に高さの低い側壁面が潜り込むように取り付けられ、軒樋３Ａの屋外側の側壁面を化粧材６Ｂで覆っている。
【００３４】
前記傾斜屋根２Ａの裏面側を覆う屋根防水シート４は、野地板２３の上に張り付けられ、前記軒樋３Ａの裏面側を通って外壁１４の上端面を覆う状態で延設されている。
【００３５】
（実施の形態３の作用）
本実施の形態によると、前記軒樋３Ａは天井梁１３の直上（外壁１４の略直上）に配置されているので、前記実施の形態と同様、外壁１３の屋外側への突出がなくなり、建物の外観意匠上の制約がない。また、前記傾斜屋根２Ａを支持する垂木２１Ａを、軒樋３Ａの下方にまで突出させ、垂木２１Ａの先端下方の切欠き部を天井梁１３のフランジ上面に支持しているので、傾斜屋根２Ａの荷重を直接天井梁１３へ流せる納まりにできる。
【００３６】
さらに、前記屋根２Ａの裏面側を覆う屋根防水シート４が、前記軒樋３Ａの裏面側を通って外壁１４の上端面を覆う状態で延設されているので、建物の内外に渡って防水面を連続させることができ、防水が容易であり、信頼性も高い。
なお、化粧材６Ｂについては、実施の形態２と同様の作用を奏する。
【００３７】
（実施の形態４）
図６は、本発明の他の実施の形態であって、建物の要部を示す断面図である。
【００３８】
本実施の形態４のユニット建物は、図６にその要部を示すように、複数の箱形に構成された建物ユニット１０を隣接配置し、最上階に配置した建物ユニット１０の上面を水勾配が形成された屋根２で覆い、この屋根２の水下側に屋根上の雨水を集めて排水する軒樋３を内樋方式にて設け、構築されたものである。
【００３９】
前記最上階に配置した建物ユニット１０の、屋外側の側面を覆う外壁１４は、この建物ユニット１０の構造体の上面１９（天井梁１３のフランジ上面）より上方に突出させて設けられている。
上記外壁１４の突出部の屋内側に、木スタッド７１を介してパラペット立上り合板７を取り付け、前記軒樋３が配置されている。
【００４０】
上記屋根２を支持する垂木２１は、軒樋３の下方に突出させ、天井野縁１７とともに、天井梁１３に支持されている。
【００４１】
（実施の形態４の作用）
本実施の形態４によると、外壁１４を上方に突出させ、この外壁１４の突出部の屋内側に前記軒樋３が配置されているので、軒樋３が外壁１４の屋外側へ突出せず、建物の外観意匠上の制約がない。また、外壁１４の突出部で形成された庇と外壁１４が一体となり、庇部品が不要となるとともに、防水、防火性能も向上する。
この際、前記屋根２を支持する垂木２１を、軒樋３の下方にまで突出させ、建物ユニット１０の天井梁１３に支持しているので、屋根２の荷重を直接天井梁１３へ流せる納まりにできる。
【００４２】
（実施の形態５）
図７は、本発明の他の実施の形態であって、ユニット建物を模式的に示した斜視図であり、図８は、図７のユニット建物の最上階を構成する各建物ユニットの側面図である。
【００４３】
本実施の形態５のユニット建物は、図７に示すように、１階に同じ高さの３個の建物ユニット１０Ｂ（または１０Ａ）を隣接配置し、２階には、中央に第１の建物ユニット１０を、左隣に第２の建物ユニット１０Ａを、右隣に第３の建物ユニット１０Ｂを混在した状態で隣接配置したものである。
【００４４】
第１の建物ユニット１０は、前記実施の形態４の図６に示したものと同じであるから、同符号を付けている。この第１の建物ユニット１０は、上面を水勾配が形成された屋根２で覆い、この屋根２の水下側に屋根上の雨水を集めて排水する軒樋３を内樋方式にて設けたものである（前記図６参照）。
【００４５】
上記第１の建物ユニット１０は、図８（イ）に示すように、屋外側の側面を覆う外壁１４を建物ユニット１０の構造体の上面より上方に突出させて設けたものである。
上記建物ユニット１０の構造体は、高さ寸法ｂ＝２８３０ｍｍの呼称「２４天井ユニット」と呼ばれるものであり、この構造体の上面より突出する外壁１４は、高さ寸法ａ＝２９８０ｍｍになされている。
すなわち、上記外壁１４は、高さ寸法ａが構造体の高さ寸法ｂより１５０ｍｍ大きくされ、この分上方に突出している。この外壁１４は、後述する第２の建物ユニット１０Ａ（呼称「２５天井ユニット」）の外壁１４と同じ高さ寸法ａであるから、「２５天井ユニット」用の外壁１４を使用している。
【００４６】
第２の建物ユニット１０Ａは、図８（ロ）に示すように、第１の建物ユニット１０の構造体の下端から第１の建物ユニット１０の外壁上端までの高さの構造体としている。
すなわち、第２の建物ユニット１０Ａは、高さ寸法ａ＝２９８０ｍｍの構造体（呼称「２５天井ユニット」を使用）で、外壁１４はこの構造体と同じ高さ寸法ａになされ、上方に突出しないものとしている。
【００４７】
第３の建物ユニット１０Ｂは、図８（ハ）に示すように、第１の建物ユニット１０の構造体と同じ高さ（高さ寸法ｂ）の構造体（呼称「２４天井ユニット」を使用））で、外壁１４ｂも構造体と同じ高さ寸法ｂで、上方に突出しないものとしている。
【００４８】
なお、第１の建物ユニット１０は、前記図６に示したように、内樋方式になされているが、他の第２の建物ユニット１０Ａ及び第３の建物ユニット１０Ｂは、内樋方式、外樋方式のいずれであってもよい。
【００４９】
（実施の形態５の作用）
本実施の形態５によると、第１の建物ユニット１０と、第２，第３の建物ユニット１０Ａ，１０Ｂとが、最上階である２階に混在した状態で隣接配置され、第１の建物ユニット１０は、屋外側の側面を覆う外壁１４を建物ユニット１０の構造体の上面より上方に突出させて設けたので、第１と第２の建物ユニット１０，１０Ａの外壁１４を同じ仕様にして活用でき、部品仕様の共通化を図ることができるとともに、第１と第３の建物ユニットの構造体仕様も共通化できる。
また、第１の建物ユニット１０は、外壁１４を上方に突出させたので、庇と外壁１４が一体となって防水・防火性能が向上するし、突出する外壁の屋内側に樋スペースを確保できる。
【００５０】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００５１】
【発明の効果】
請求項１記載の本発明によると、外壁の屋外側への突出が略なくなり、建物の外観意匠上の制約がなく、屋根の荷重を直接天井梁へ流せる納まりにできる。
【００５２】
請求項２記載の本発明によると、さらに、建物の内外に渡って防水面を連続させることができ、防水が容易であり、信頼性が高い。
【００５３】
請求項３記載の本発明によると、さらに、化粧材の形状や材質等によって建物のデザイン変更が容易となる。
【００５４】
請求項４記載の本発明によると、前記建物本体は、複数の建物ユニットを隣接配置して構築され、この建物本体の上方が前記屋根で覆われたユニット建物であるから、請求項１〜３の発明と同様の作用がある。
【００５５】
請求項５記載の本発明によると、外壁を上方に突出させ、この外壁の突出部の屋内側に前記排水溝が配置されているので、排水溝が外壁の屋外側へ突出せず、建物の外観意匠上の制約がない。また、庇と外壁が一体となり、庇部品が不要となるとともに、防水、防火性能も向上する。
【００５６】
請求項６記載の本発明によると、第１の建物ユニットと第２または第３の建物ユニットの外壁を同じ仕様にして活用でき、部品仕様の共通化を図ることができる。また、第１の建物ユニットは、外壁を上方に突出させたので、庇と外壁が一体となり、庇部品が不要となるとともに、防水・防火性能が向上する。
【図面の簡単な説明】
【図１】本発明の一実施の形態であって、建物の要部を示す断面図である。
【図２】建物ユニットの斜視図である。
【図３】本発明の別の実施の形態であって、軒樋を化粧材で覆った建物の要部を示す断面図である。
【図４】軒樋を別の化粧材で覆った建物の要部を示す断面図である。
【図５】本発明の他の実施の形態であって、傾斜屋根にした建物の要部を示す断面図である。
【図６】本発明の他の実施の形態であって、建物の要部を示す断面図である。
【図７】本発明の他の実施の形態であって、ユニット建物を模式的に示した斜視図である。
【図８】図７のユニット建物の最上階を構成する各建物ユニットの側面図である。
【符号の説明】
１        建物本体
２        屋根
２１      垂木（屋根支持部）
３        軒樋（排水溝）
４        防水シート
６        化粧材
１０，１０Ａ，１０Ｂ      建物ユニット
１３      天井梁
１４      外壁
【図１】
2004218229.tif 000003
【図２】
2004218229.tif 000004
【図３】
2004218229.tif 000005
【図４】
2004218229.tif 000006
【図５】
2004218229.tif 000007
【図６】
2004218229.tif 000008
【図７】
2004218229.tif 000009
【図８】
2004218229.tif 000010